(57)【要約】【課題】在室者が意識することなく快適な空調環境を提供する空気調和機を提供することにある。【解決手段】本発明の空気調和機は、空調室内の在室者を撮像するイメージセンサ（１７、１８）と、前記イメージセンサの撮像情報により在室者の視線方向を検出する視線方向検出部１１と、前記視線方向検出部により検出した在室者の視線方向が空気調和機の室内機１であることを検知した際に、空調制御を変更する制御部（室内機制御部１０）と、を備えるようにした。【選択図】  図１
2018091544.tif 000002
【特許請求の範囲】
【請求項１】
空調室内の在室者を撮像するイメージセンサと、
前記イメージセンサの撮像情報により在室者の視線方向を検出する視線方向検出部と、
前記視線方向検出部により検出した在室者の視線方向が空気調和機の室内機であることを検知した際に、空調制御を変更する制御部と、
を備えたことを特徴とする空気調和機。
【請求項２】
請求項１に記載の空気調和機において、
前記制御部は、視線を室内機に向けた在室者への空調風の風向き制御を変更する
ことを特徴とする空気調和機。
【請求項３】
請求項２に記載の空気調和機において、
前記制御部は、視線を室内機に向けた在室者への風当てと風よけの風向き制御を切り替える
ことを特徴とする空気調和機。
【請求項４】
請求項１に記載の空気調和機において、さらに、
視線を室内機に向けた在室者の状態を検知して在室者が要求している空調の変更内容を推定する要求推定部を備え、
前記制御部は、前記視線方向検出部により検出した在室者の視線方向が空気調和機の室内機であることを検知した際に、前記要求推定部により推定した空調の変更内容に応じて空調制御を変更する
ことを特徴とする空気調和機。
【請求項５】
請求項４に記載の空気調和機において、
前記要求推定部は、視線を室内機に向けた在室者の顔面温度を検出して空調の変更内容を推定し、
前記制御部は、前記顔面温度が所定温度以上である際に空調設定温度を下げ、前記顔面温度が所定温度以下である際に空調設定温度を上げる空調制御の変更を行う
ことを特徴とする空気調和機。
【請求項６】
請求項４に記載の空気調和機において、
前記要求推定部は、視線を室内機に向けた在室者の画像情報により挙動を検出し、
前記制御部は、前記要求推定部によりあおぎ動作を検出した際に空調設定温度を下げる空調制御の変更を行う
ことを特徴とする空気調和機。
【請求項７】
請求項１から請求項６のいずれか一項に記載の空気調和機において、さらに、
前記視線方向検出部により検出した在室者の視線方向が空気調和機の室内機であることを検知したことを報知する報知部
を備えることを特徴とする空気調和機。
【請求項８】
請求項１から請求項７のいずれか一項に記載の空気調和機において、
前記制御部は、在室者の視線方向が室内機であることを検知して空調制御を変更してから所定時間の経過後に、空調制御を変更前の状態に戻す
ことを特徴とする空気調和機。
【請求項９】
在室者の視線を検出するステップと、
検出した視線が空気調和機の室内機の方向である時に空気調和機の空調制御を変更するステップと、
を含むことを特徴とする空気調和機の空調制御方法。
【請求項１０】
請求項９に記載の空気調和機の空調制御方法において、
検出した視線が室内機の方向である時に在室者の状態を検知するステップと、
在室者の状態に応じて空気調和機の空調制御を変更するステップと、
を含むことを特徴とする空気調和機の空調制御方法。
【請求項１１】
請求項９に記載の空気調和機の空調制御方法において、
検出した視線が室内機の方向である時に視線を前記室内機に向けた在室者の挙動を所定時間監視するステップと、
在室者の挙動が空調制御の変更要求に係る挙動の時に空気調和機の空調制御を変更するステップと、
を含むことを特徴とする空気調和機の空調制御方法。
【請求項１２】
請求項９から請求項１１のいずれか一項に記載の空気調和機の空調制御方法において、
空調制御を変更後、所定時間の経過後に空調制御の内容を変更前の制御内容に戻すステップ
を含むことを特徴とする空気調和機の空調制御方法。
【発明の詳細な説明】
【技術分野】
【０００１】
本発明は、空気調和機の遠隔操作に関する。
【背景技術】
【０００２】
多くの空気調和機においては、リモコンにより壁や天井に設置された空気調和機の遠隔操作を行っている。しかし、リモコンが手元にない場合には、空気調和機を操作できない問題がある。
このため、リモコンを使用することなく、空気調和機を遠隔操作する方法が考案されている。
【０００３】
例えば、特許文献１には、空気調和機の室内機に形状認識手段を設け、この形状認識手段により手の形状を認識して、空気調和機の運転を制御することが記載されている。より詳細には、人の手や、カードに描かれた手の輪郭パターンを認識して、上を指差すような手の輪郭パターンを認識した場合に設定温度を上げる技術の記載がある。
【先行技術文献】
【特許文献】
【０００４】
【特許文献１】特開２０１５−０２５５７５号公報
【発明の概要】
【発明が解決しようとする課題】
【０００５】
上記の先行技術によれば、リモコンを使用することなく空気調和機を遠隔操作することができるが、操作指示を記載したカードを予め用意する必要がある。また、在室者が、予め、空気調和機に認識させる操作に対応した手の形状を覚える必要がある。
本発明の目的は、在室者が意識することなく快適な空調環境を提供する空気調和機を提供することにある。
【課題を解決するための手段】
【０００６】
前記課題を解決するため、本発明の空気調和機は、空調室内の在室者を撮像するイメージセンサと、前記イメージセンサの撮像情報により在室者の視線方向を検出する視線方向検出部と、前記視線方向検出部により検出した在室者の視線方向が空気調和機の室内機であることを検知した際に、空調制御を変更する制御部と、を備えるようにした。
【発明の効果】
【０００７】
本発明によれば、予め操作指示を記載したカードを用意する必要がなく、また、在室者が操作に対応した人の手の型を覚える必要がないので、意識することなく空気調和機を制御することができ、在室者の快適性を向上できる。
【図面の簡単な説明】
【０００８】
【図１】空気調和機の室内機の制御部構成を示す図である。
【図２】壁かけタイプの室内機と在室者の関係を示す図である。
【図３】てんかせタイプの室内機と在室者の関係を示す図である。
【図４】図３において、空調室内の上から見下ろした時の様子を示す図である。
【図５】在室者の挙動監視の一例を説明する図である。
【図６】壁かけタイプの室内機における風向きの空調制御を行う場合の制御フローを示している。
【図７】てんかせタイプの室内機における風向きの空調制御を行う場合の制御フローを示している。
【図８】設定温度を変更する空調制御の制御フローを示している。
【図９】在室者の挙動を監視して、空調に関する変更要求を推定して空調制御する場合の制御フローを示している。
【発明を実施するための形態】
【０００９】
以下、本発明の実施形態について、図面を参照しながら詳細に説明する。
まず、図１により、空気調和機の室内機１の制御構成を説明する。
室内機１は、壁または天井に設置され、不図示の室外機と冷媒配管で接続されて、冷媒と室内の空気との間で熱交換を行う。これにより、室内の空調を行う。
【００１０】
室内機１は、不図示の室外機やリモコンと通信する通信部１２と、冷房動作時に室外機で凝縮された高圧冷媒を減圧する室内膨張弁１５と、室内膨張弁１５で減圧された冷媒と熱交換して冷却される室内空気の流れを作る室内ファン１４と、冷却された室内空気（冷却風）の通風方向を調整するルーバー３とを備えている。
【００１１】
また、室内機１は、空調室内の画像情報を取得する画像イメージセンサ１７と、空調室内の熱画像情報を取得する赤外線イメージセンサ１８と、冷媒温度を測定する冷媒温度センサ１９と、室内空気の温度を測定する空気温度センサ２０と、室内空気の湿度を測定する空気湿度センサ２１の複数のセンサを備えている。
これらのセンサは、室内機制御部１０に接続されて、空調制御が行われている。
【００１２】
画像イメージセンサ１７や赤外線イメージセンサ１８は、室内機１の前面に設けられ、空調室内全体の画像情報を取得する。
画像イメージセンサ１７や赤外線イメージセンサ１８は、空調室内を走査して画像情報を取得するようにしてもよく、また、ズーム機能により在室者の顔面を拡大して画像情報を取得するようにしてもよい。これにより、後述する視線検出の精度向上を図ることができる。
【００１３】
室内機制御部１０は、通信部１２に接続するリモコンにより設定される操作情報に基づいて、室内膨張弁１５と室内ファン１４とルーバー３を制御して空調制御を行う。
詳しくは、室内ファン１４は、室内機制御部１０からの指令により、ファンモータ（不図示）を駆動してファンを回転させて空調風の流れを作る。
ルーバー３も、室内機制御部１０からの指令により、上下方向用モータ（不図示）や左右方向用モータ（不図示）を駆動してルーバー３の向きを変更し、空調室内の空調風の向きを調節する。
【００１４】
詳細は後述するが、室内機制御部１０には、視線方向検出部１１と要求推定部２２が設けられている。
この視線方検出部１１により、画像イメージセンサ１７や赤外線イメージセンサ１８で取得した空調室内の画像情報に基づいて、在室者が居るか否かが検出される。そして、視線方向検出部１１は、在室者が居る場合には、在室者の顔が映っているか否を判定し、在室者の顔が映っている場合には、在室者の顔の画像情報から在室者の視線方向を検出する。
【００１５】
この視線方向検出部１１の在室者の視線方向を検出する方法には、以下の方法がある。例えば、眼球の中心から黒目の中心へ向かう方向が視線の方向とすることができるので、画像イメージセンサ１７による空調室内の画像情報に基づいて、眼球の中心位置と眼球の半径と黒目の中心位置を求めて、在室者の視線方向を特定することができる。
上記の眼球の画像情報から視線方向を検出する方法以外にも、空調室内の画像情報から在室者の顔方向を検出して、在室者の視線方向を特定するようにしてもよい。顔方向の検出は、顔面、目、鼻および口を含む１つの領域の重心と頭部輪郭の重心との距離から、室内機の方向に顔の正面を向いていることを検出して行うことできる。
【００１６】
室内機制御部１０は、視線方向検出部１１により所定時間に亘って在室者の視線方向が室内機１の方向になっていることを検知すると、空調風の向きや風量、空調温度等の空調制御を変更する。
これは、在室者が、暑いと感じた時、寒いと感じた時、風が当たって不快な時、空調の変更要求により無意識に室内機を見てしまう習性を利用したものである。
【００１７】
また、実施形態の空気調和機の室内機１では、在室者により快適な空調環境を提供するため、室内機制御部１０に、在室者が要求している空調の変更内容を推定する要求推定部２２を設けている。
例えば、要求推定部２２は、空気湿度センサ２１で検出した室内空気の湿度や、赤外線イメージセンサ１８で取得した空調室内の熱画像情報に基づいて、在室者の顔面や着衣の表面温度を検出して、空調の変更内容を推定する。室内機制御部１０は、この推定結果に基づいて、空調制御を変更する。
【００１８】
詳細には、在室者の顔面温度が所定温度以上であれば、顔面温度に応じて空調設定温度を下げ、在室者の顔面温度が所定温度以下であれば、顔面温度に応じて空調設定温度を上げる変更を行う。
また、在室者の着衣温度が所定温度以上であれば、着衣温度に応じて空調設定温度を下げ、在室者の着衣温度が所定温度以下であれば、着衣温度に応じて空調設定温度を上げる変更を行う。
空調室内に複数の在室者がある場合には、視線方向を室内機１の方向にした在室者の比率や、視線方向を室内機１の方向にした在室者の分布を考慮して、空調制御を変更するようにしてもよい。
【００１９】
また、要求推定部２２は、所定時間に亘って在室者の視線方向が室内機１の方向になっていることを検知した後に、画像イメージセンサ１７や赤外線イメージセンサ１８によりこの在室者の挙動を所定時間監視して、在室者が感じている空調の変更要求内容を推定する。
【００２０】
例えば、要求推定部２２は、在室者の顔を手やうちわ等であおぐ動作や汗をぬぐう動作を検出した場合には、在室者が暑いと感じて涼しさを求めていると推定し、室内機制御部１０は、空調風の向きや風量等の空調制御を変更する。
また、要求推定部２２は、在室者が腕を組む動作や両腕で体を抱え込む動作、腕をさする動作を検出した場合には、在室者が寒いと感じているかまたは暖かさを求めていると推定し、室内機制御部１０は、空調風が在室者に当たらないように風向きや風量等の空調制御を変更する。
空調室内に複数の在室者が居る場合には、あおぐ等の挙動を行った在室者の比率や、分布を考慮して、空調制御を変更するようにしてもよい。
【００２１】
ＬＥＤ表示灯１３は、所定時間に亘って在室者の視線方向が室内機１の方向になっていることを視線方向検出部１１により検知された時、一定時間点灯あるいは点滅する。
これにより、室内機１に視線を移した在室者は、室内機制御部１０により認知されたことが判る。
【００２２】
つぎに、図２から図４により、空調室内の概要を説明する。
図２は、壁かけタイプの室内機１が、空調室内１００の壁に設置される例を示している。空調室内１００には、在室者１０１Ａと１０１Ｂの２名の在室者があり、このうち、在室者１０１Ａが、室内機１の前に着座している。
【００２３】
図２における室内機１の人検知センサ２は、図１における画像イメージセンサ１７もしくは赤外線イメージセンサ１８、または、その両方である。人検知センサ２で取得した画像情報から人を検知し、顔の画像情報を取得する。そして、顔の画像情報から視線方向を求め、室内機１を一定時間見ているか判断する。
【００２４】
図２における室内機１の報知部５は、図１におけるＬＥＤ表示灯１３に対応する。所定時間に亘って在室者の視線１０２が室内機１の方向になっていることを室内機１により検知された時、一定時間点灯あるいは点滅する。これにより、室内機１に視線を移した在室者は、室内機１により認知されたことが判る。
【００２５】
図２において、室内機１は、人検知センサ２により、空調室内１００の在室者１０１Ａと１０１Ｂの２名の在室者が検知する。そして、在室者１０１Ｂは、室内機１の設置側と反対側に向いているため、室内機１は、在室者１０１Ａの顔の画像情報だけを取得する。そして、在室者１０１Ａの視線１０２の方向を求め、室内機１の方向になっているか否かを検出する。
【００２６】
室内機１は、在室者１０１Ａの視線１０２の方向が室内機１の方向になっていると検出した時には、風向きの空調制御をつぎのように変更する。
在室者１０１Ａに空調風が当たる空調制御を行っている時には、在室者１０１Ａは風が当たって不快感を覚えていると判断して、ルーバー３の向きを在室者１０１Ａの方向から変更して、風の向き４を変更する。在室者１０１Ａに空調風が当たらない空調制御の時には、在室者１０１Ａは風が当たらずに不快感を覚えていると判断して、ルーバー３の向きを在室者１０１Ａの方向に変更して、風の向き４を変更する。
すなわち、固定の向きであった場合は異なる向きに設定する。
【００２７】
室内機１が、空調風を広い範囲に自動的に向きを変更するスイング動作中であった場合には、ルーバー３の向きを所定の向きに固定するように変更して、風の向き４を変更する。
図２のルーバー３は、上下方向を調節するルーバーのみ図示しているが、左右方向のルーバーも用いてもよい。
【００２８】
上記の在室者１０１Ａの視線方向が室内機の方向になっていると検出した時の、風向きの空調制御の変更は、所定時間行った後に、元の制御状態に戻す。これは、変更要求は一時的な要求であること、在室者は時間経過により変わることもあること、などのためである。在室者は必要に応じて再度要求を出すこともできるので問題はない。
【００２９】
図３は、天井に室内機を埋め込み設置するてんかせタイプ（天井カセット形）の室内機１Ａと室内機１Ｂが、空調室内１００に設置されている例を示している。空調室内には、在室者１０１Ａと１０１Ｂの２名の在室者があり、このうち、在室者１０１Ａが、室内機１Ａの下に着座している。
図４は、空調室内１００の上部から室内を見下ろした図である。
【００３０】
室内機１Ａに設けられた人検知センサ２Ａと室内機１Ｂに設けられた人検知センサ２Ｂは、図１における画像イメージセンサ１７もしくは赤外線イメージセンサ１８、または、その両方である。
室内機１Ａの人検知センサ２Ａで取得した画像情報から人を検知し、顔の画像情報を取得する。そして、顔の画像情報から視線方向を求め、室内機１Ａを一定時間見ているか判断する。このとき、人検知センサ２Ａの画像情報の取得範囲は、室内機１Ａの空調風の到達範囲をカバーしているものとする。
室内機１Ｂの人検知センサ２Ｂも同様に、人検知センサ２Ｂで取得した画像情報により、室内機１Ｂを一定時間見ている人を検出する。
【００３１】
図４に示すように、室内機１Ａと室内機１Ｂは、４方向の空調風を個別に制御するルーバー（３Ａ−Ａ、３Ａ−Ｂ）を備えた４方向吹き出しタイプであり、風の向き４を変更することができる。
【００３２】
図３において、室内機１Ａは、人検知センサ２Ａにより、空調室内１００の在室者１０１Ａと１０１Ｂの２名の在室者が検知する。そして、在室者１０１Ｂは、室内機１Ａの設置側と反対側に向いているため、室内機１Ａは、在室者１０１Ａの顔の画像情報だけを取得する。そして、在室者１０１Ａの視線１０２の方向を求め、室内機１Ａの方向になっているか否かを検出する。
【００３３】
室内機１Ａは、在室者１０１Ａの視線１０２の方向が室内機１Ａの方向になっていると検出した時には、在室者１０１Ａの方向（視線１０２の方向）に対応するルーバー３Ａ−Ａ（図４参照）を求め、ルーバー３Ａ−Ａの向きを調整して、風の向き４の空調制御を変更する。
この室内機１Ａの空調制御の変更内容は、図２の室内機１と同様に行えばよいので、説明を省略する。
【００３４】
室内機１Ｂは、人検知センサ２Ｂにより、空調室内１００の在室者１０１Ａと１０１Ｂの２名の在室者が検知する。室内機１Ｂは、在室者１０１Ａの顔の画像情報を取得して、在室者１０１Ａの視線１０２の方向を求め、室内機１Ｂの方向になっているか否かを検出する。
在室者１０１Ａの視線１０２の方向は、室内機１Ａの方向であるため、室内機１Ｂは、空調制御の変更を行わない。
【００３５】
このように、室内機１Ａと室内機１Ｂのそれぞれが、独立に在室者の視線検出を行うことで、複数の在室者の各人に好適な空調環境を適用することができる。
図３、図４では、４方向吹き出しタイプの室内機について説明したが、４方向に限らず、２方向や１方向のてんかせタイプの室内機においても、在室者の視線方向に一致する方向のルーバーを制御すればよい。
【００３６】
図５は、要求推定部２２（図１参照）で行われる在室者の挙動監視の一例を説明する図である。
要求推定部２２は、視線方向検出部１１（図１参照）により検出した室内機１に視線を向けた在室者１０１Ａの挙動を、画像イメージセンサ１７や赤外線イメージセンサ１８により所定時間監視し、図５に示すような画像情報を得る。
【００３７】
そして、要求推定部２２は、図５に示すような、在室者１０１Ａの顔のまわりで顔をあおぐ手１０３を認識した場合には、在室者が暑いと感じている推定し、空調風の向きや風量を変更する等の空調制御を変更する。
なお、顔をあおぐのは手ではなくうちわなど他のものでもよい。顔近傍で定期的に動くものがある時に、あおいでいると判断することができる。
また、要求推定部２２は、室内機１に視線を向けた在室者の各人について、上記の処理を行う。
【００３８】
上述のように、要求推定部２２が、在室者の“顔をあおぐ”という無意識の動作を検出して、空調機制御を変更することができるので、在室者が空調変更のためのジェスチャーを覚える必要がない。
【００３９】
視線方向検出部１１の一致検出または要求推定部２２の推定結果に応じて変更した空調制御は、所定の時間が経過した後、変更前の空調制御の状態に戻す。これは、在室者の変更要求は一時的であることや、在室者は時間経過により変わること、などのためである。在室者が不快を感じた際に、再度変更されるので問題はない。
【００４０】
つぎに、図６〜図９により、室内機制御部１０（図１参照）の制御フローを説明する。
図６は、図２で説明した在室者１０１Ａの視線１０２の方向が室内機１の方向になっていることを検出して風向き変更の空調制御を行う場合の制御フローを示している。
まず、視線方向検出部１１は、人検知センサ２（図２参照）に対応する画像イメージセンサ１７や赤外線イメージセンサ１８（図１参照）により、空調室内の画像情報を取得する（Ｓ６１）。
【００４１】
つぎに、視線方向検出部１１は、取得した画像情報に人の顔画像を検出する（Ｓ６２）。そして、視線方向検出部１１は、顔画像検出できたかを判定し（Ｓ６３）、顔検出できた場合（Ｓ６３のＹｅｓ）には、ステップＳ６４に進む。顔検出できなかった場合（Ｓ６３のＮｏ）には、ステップＳ６８に進む。
【００４２】
ステップＳ６４では、視線方向検出部１１は、顔検出した人の視線方向を算出する。
そして、室内機制御部１０は、ステップＳ６５で、算出した視線方向が、室内機の方向か否かを判定する。顔検出した人の視線方向が室内機の方向の場合は（Ｓ６５のＹｅｓ）、ステップＳ６６に進む。顔検出した人の視線方向が室内機の方向でない場合は（Ｓ６５のＮｏ）、ステップＳ６８に進む。
【００４３】
ステップＳ６６では、室内機制御部１０は、室内機１に視線を向けた在室者１０１Ａが、室内機１が視線移動を認知したことが判るように、報知部５（図２参照）に対応するＬＥＤ表示灯１３（図１参照）を一定時間点灯あるいは点滅する。
【００４４】
ステップＳ６７で、室内機制御部１０は、風向きの空調制御を変更する。そして、周期的にこの処理が行われるように、ステップＳ６１に戻る。
より詳細には、室内機制御部１０は、在室者に空調風が当たる風当ての空調制御の時には、ルーバー３の向きを在室者の方向から変更して、風の向き４を変更する。在室者に空調風が当たらない風よけの空調制御の時には、ルーバー３の向きを在室者の方向にして、風の向き４を変更する。つまり、風当てと風よけの空調制御を切り替える。
ルーバー３が、空調風を広い範囲に自動的に向きを変更するスイング動作中であった場合には、室内機制御部１０は、ルーバー３の向きを所定の向きに固定するように変更して、風の向き４を変更する。また、ルーバー３の向きが固定であった場合には、スイング動作させる。
【００４５】
ステップＳ６８では、室内機制御部１０は、視線検知による風向きの空調制御を変更してから所定時間経過したか否かを判定する。
所定時間経過していなければ（Ｓ６８のＮｏ）、ステップＳ６１に戻る。所定時間経過していれば（Ｓ６８のＹｅｓ）、ステップＳ６７で変更した風向きの空調制御を変更前の設定に戻す（Ｓ６９）。そして、ステップＳ６１に戻り、実施形態の空調制御処理を繰り返す。
ステップＳ６８とステップＳ６９の処理により空調風の風向変更を行う時間を制限することで、過度な空調変更を抑止する。
【００４６】
図７は、図３と図４で説明したてんかせタイプ（天井カセット形）の室内機１Ａ、室内機１Ｂが設置され、在室者１０１Ａの視線１０２の方向を検知して風向きの空調制御の変更を行う場合の室内機１Ａと室内機１Ｂのそれぞれの制御フローを示している。
図７の制御フローは、図６の制御フローに、室内機制御部１０が、室内機の４方向の吹き出し方向についていずれの方向の空調制御（風向き）を行うかを、在室者の視線方向から特定する処理（Ｓ７１）が追加されている。
ステップＳ６１からステップＳ６９は、図６と同様の処理となっている。ここで、ステップＳ６７の処理は、ステップＳ７１で特定された吹き出し方向について行われる。
【００４７】
図８は、室内機１の方向に視線を向けた在室者の顔面の表面温度を検出して、設定温度を変更する空調制御の制御フローを示している。
図８の制御フローは、図６のステップＳ６７を、視線を検知した人の顔温度を検出する処理（Ｓ８１）に替えたものである。
そして、ステップＳ８２で、ステップＳ８１で検知した室内機１に視線を向けた人の顔温度に基づいて、空調の温度設定を変更する。
【００４８】
詳しくは、ステップＳ８１では、要求推定部２２（図１参照）が、赤外線イメージセンサ１８により取得した熱画像情報に基づいて在室者の顔面温度を検出する。
そして、ステップＳ８２では、室内機制御部１０（図１参照）が、在室者の顔面温度が所定温度以上であれば、顔面温度に応じて空調設定温度を下げ、在室者の顔面温度が所定温度以下であれば、顔面温度に応じて空調設定温度を上げる変更を行う。
【００４９】
室内機制御部１０は、ステップＳ６８で、空調制御の変更後所定時間経過すると（Ｓ６８のＹｅｓ）、ステップＳ８２で変更した空調制御の設定温度を変更前の設定に戻す（Ｓ８３）。そして、ステップＳ６１に戻り、室内機１の方向に視線を向けた在室者の顔面の表面温度を検出して、設定温度を変更する空調制御を繰り返す。
【００５０】
消費電力が大きくなる方向に空調制御の設定温度が変更された場合には、ステップＳ８３により、所定時間の経過後に変更前の消費電力に戻るので、省エネの効果がある。
また、在室者の一時的な空調設定の変更要求に対応できる。
【００５１】
図９は、図５で説明した室内機１の方向に視線を向けた在室者の挙動を監視して、空調に関する変更要求を推定して空調制御する場合の制御フローを示している。
図９の制御フローは、図６の制御フローとは、ステップＳ６６より後の在室者の視線方向が室内機方向であることを検知した後の処理が異なる。ステップＳ６１からステップＳ６６の処理は、図６と同じ処理となるため、ここでは説明を省略する。
【００５２】
ステップＳ９１では、要求推定部２２（図１参照）が、人検知センサ２（図２参照）に対応する画像イメージセンサ１７や赤外線イメージセンサ１８（図１参照）により、視線方向を室内機の方向に向けた在室者の画像情報を取得する。
そして、要求推定部２２は、取得した画像情報により、在室者のあおぎ動作を検出できたか否かを判定する（Ｓ９２）。
【００５３】
在室者のあおぎ動作を検出できなかった場合には（Ｓ９２のＮｏ）、在室者の監視時間が所定時間を超えたか否かの経過を判定する（Ｓ９５）。
監視時間を超過した場合（Ｓ９５のＹｅｓ）には、空調制御の変更を行わずにステップＳ６１に戻る。監視時間中の場合（Ｓ９５のＮｏ）には、ステップＳ９１に戻り、視線方向を室内機の方向に向けた在室者の監視を続ける。
【００５４】
ステップＳ９２で、要求推定部２２が在室者のあおぎ動作を検出した場合（Ｓ９２のＹｅｓ）には、室内機制御部１０は、室内機１に視線を移した在室者に、空調制御を変更することが判るように、報知部５（図２参照）に対応するＬＥＤ表示灯１３（図１参照）を一定時間点灯あるいは点滅する（Ｓ９３）。
ステップＳ９４で、室内機制御部１０は、在室者の暑さを解消するために、空調設定温度を下げる変更を行う。そして、ステップＳ６１に戻る。
【００５５】
室内機制御部１０は、ステップＳ６８で、空調制御の変更後所定時間経過すると（Ｓ６８のＹｅｓ）、ステップＳ９４で変更した空調制御の設定温度を変更前の設定に戻す（Ｓ９６）。そして、ステップＳ６１に戻り、制御フローを繰り返す。
【００５６】
図６、図７で室内機１に視線を向けた在室者への風向きを変更する空調制御フロー、図８で室内機１に視線を向けた在室者の顔面温度に応じて設定温度を変更する空調制御フロー、図９で室内機１に視線を向けた在室者の挙動監視により設定温度を変更する空調制御フローを個別に説明したが、組み合わせて制御するようにしてもよい。
【００５７】
例えば、図８の制御フローのステップＳ８２において、空気温度センサ２０（図１参照）で検出した室内温度と、ステップＳ８１で検出した顔温度との差分が所定値より大きい時にステップＳ８２の処理を行うようにする。そして、差分値が所定値以内の時には、図６や図７のステップＳ６７の風向きを変更する空調制御を行うようにする。
【００５８】
また、図９のステップＳ９５で室内機１に視線を移した在室者の監視時間を超過した時（Ｓ９５のＹｅｓ）に、室内機１に視線を向けた在室者への風向きを変更する空調制御や室内機１に視線を向けた在室者の顔面温度に応じて設定温度を変更する空調制御を行うようにしてもよい。
【００５９】
また、図８のステップＳ８１とステップＳ８２の顔温度に応じて空調制御を変更する処理において、視線を検知した人の男女の性別を検出し（Ｓ８１）、空調制御（温度設定）の変更（Ｓ８２）の内容を男性と女性により変えるようにしてもよい。
また、視線を検知した人の年代を検出し、年代に応じて空調制御（温度設定）の変更の内容を変えるようにしてもよい。
【００６０】
本実施形態の空気調和機によれば、暑い時、寒い時、風が当たって不快な時に無意識に室内機を見てしまうという人間の自然な動作を利用して空調制御を可能とし、在室者の快適性を向上させることができる。空調制御をしようとする人にとっても、移動せずその場で、リモコンを用いずに特別なこともせずに、目立たずスマートに空調制御を変更可能とし、快適性を向上させることができる。
【００６１】
また、多くの人と一緒に在室している時、空調の設定を変えたくても我慢してしまうことがある。本実施形態の空気調和機の場合、例えば自分に風が当たって不快な時、その風を吹き出している室内機を見るだけで自分に風が当たらないようにすることができる。リモコンの操作や、いかにも空調を変更しているというような特別なジェスチャーをする必要がないので、空調を変更していることをまわりの人に気づかれにくい。このため、気軽に空調を変更することができる。
【００６２】
さらに、空調における快適度は、自分がどれだけ自由に設定できるかということも大きく影響するため、空調を変更した結果の室内空気状態によってだけでなく、気軽に空調を変更できることそれ自体によっても在室者の快適性を向上させることができる。
【００６３】
また、本発明は上記した実施例に限定されるものではなく、様々な変形例が含まれる。上記の実施例は本発明で分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【符号の説明】
【００６４】
１  室内機
３  ルーバー
１０  室内機制御部
１１  視線方向検出部
１２  通信部
１３  ＬＥＤ表示灯（報知部）
１４  室内ファン
１５  室内膨張弁
１７  画像イメージセンサ
１８  赤外線イメージセンサ
１９  冷媒温度センサ
２０  空気温度センサ
２１  空気湿度センサ
２２  要求推定部
【図１】
2018091544.tif 000003
【図２】
2018091544.tif 000004
【図３】
2018091544.tif 000005
【図４】
2018091544.tif 000006
【図５】
2018091544.tif 000007
【図６】
2018091544.tif 000008
【図７】
2018091544.tif 000009
【図８】
2018091544.tif 000010
【図９】
2018091544.tif 000011